(57)【特許請求の範囲】
【請求項１】
浴槽の側壁外面に配置される外部筒体と、側壁内面に設けられる締付筒体と、該締付筒体に組付けられ、浴槽水の吸入用流路及び給湯器で加熱された加熱水を浴槽内へ吐出する吐出用流路を区画形成する区画部材と、該区画部材の外面に装着されるフィルターカバーとを備え、
前記区画部材には吸入用流路及び吐出用流路の方向を変更する流路方向変更部を区画部材本体と一体に形成するとともに、流路方向が変更された吸入用流路及び吐出用流路における区画部材本体には開閉弁の弁体を支持し、該弁体を弁体カバーで開閉可能に保持し、かつ弁体カバーの裏面と区画部材本体との間には弁体カバーを区画部材本体に連結する連結手段を設け、さらに前記弁体カバーには流路方向変更部の開口端縁に掛止される段差状の掛止突条を設け、その掛止突条には加熱水の下流側ほど流路が狭くなるように傾斜する傾斜部を設けたことを特徴とする浴槽用循環具。
【請求項２】
前記連結手段は弁体カバーに設けられた雌ねじ穴と、区画部材本体に貫通された挿通孔と、ビスとにより構成され、ビスを区画部材本体の挿通孔に挿通して弁体カバーの雌ねじ穴に螺合するように構成したことを特徴とする請求項１に記載の浴槽用循環具。
【請求項３】
前記連結手段は弁体カバーに設けられた連結用凸部と、区画部材本体に設けられた連結用凹部とにより構成され、弁体カバーの連結用凸部を区画部材本体の連結用凹部に係合させて連結させるように構成したことを特徴とする請求項１に記載の浴槽用循環具。
【請求項４】
前記連結手段は弁体カバーに設けられた一対の連結用弾性片と、区画部材本体に設けられた連結用段部とにより構成され、弁体カバーの連結用弾性片を区画部材本体の連結用段部に係合させて連結させるように構成したことを特徴とする請求項１に記載の浴槽用循環具。
【請求項５】
前記弁体カバーには流路方向変更部の開口端縁に掛止される掛止部を設け、該掛止部を中心にして弁体カバーが回動可能に構成されるとともに、連結手段は弁体カバーの掛止部以外の部分と区画部材本体との間に設けられていることを特徴とする請求項１から請求項４のいずれか１項に記載の浴槽用循環具。
【発明の詳細な説明】
【技術分野】
【０００１】
本発明は、浴槽の側壁内面に配置されて側壁外面の外部筒体に連結される締付筒体、その締付筒体に組付けられる区画部材及び区画部材の外面に取着されるフィルターカバー等により構成された浴槽用循環具に関する。さらに詳しくは、区画部材における流路方向変更部の構成を簡単かつ漏水の防止を図ることができるとともに、弁体カバーの取り外しを規制する浴槽用循環具に関する。
【背景技術】
【０００２】
この種の浴槽用循環具においては、浴槽の側壁に設けられた貫通孔に浴槽内から挿通された締付筒体が浴槽外の外部筒体に締付けられて側壁に固定されている。該締付筒体内には、浴槽水の吸入用流路及び給湯器で加熱された加熱水を浴槽内へ吐出する吐出用流路が区画形成された区画部材が挿入されて固定されている。区画部材の外面には、ごみなどの異物が吸入用流路に入り込まないようにするためのフィルターカバーが装着されている。
【０００３】
具体的には、特許文献１に記載されている浴槽連結装置が知られている。すなわち、この浴槽連結装置は、熱源装置と浴槽とを繋ぐ接続配管に接続される接続部と、該接続部に繋がる流路を内蔵した仕切部材と、当該仕切部材に装着されるフィルター部材とを有している。前記仕切部材は浴槽側に固定される固定体と、その固定体とフィルター部材との間に着脱自在に装着される分離体とを備えている。さらに、固定体及び分離体にはそれぞれ固定側仕切壁及び分離側仕切壁が設けられ、それらの固定側仕切壁と分離側仕切壁に立設された立設壁によって流路形成領域が形成されるようになっている。
【先行技術文献】
【特許文献】
【０００４】
【特許文献１】特開２００６−１０５５５１号公報
【発明の概要】
【発明が解決しようとする課題】
【０００５】
しかしながら、特許文献１に記載された従来構成では、固定体と分離体との２部材を連結させることによって流路方向が変更される流路形成領域が形成されることから、固定体と分離体をそれぞれ個別に成形して連結させなければならず、構成が複雑であるとともに、連結部分からの漏水を避けることができなかった。加えて、分離体は固定体の前面（表面）側から連結されることから、浴槽連結装置の使用者は分離体を固定体から取り外すことが可能であった。そのため、分離体が固定体から取り外されたときには、流路を開閉する弁体が外れて元の状態に戻すことが難しくなったり、弁体が紛失したり、一旦取り外された分離体を再び固定体に取り付けることが困難になったりするおそれがあるという問題があった。
【０００６】
そこで本発明の目的とするところは、流路方向変更部の構成を簡単にすることができるとともに、流路方向変更部における漏水を防止することができ、かつ弁体カバーの取り外しを規制することができる浴槽用循環具を提供することにある。
【課題を解決するための手段】
【０００７】
上記の目的を達成するために、請求項１に係る発明の浴槽用循環具は、浴槽の側壁外面に配置される外部筒体と、側壁内面に設けられる締付筒体と、該締付筒体に組付けられ、浴槽水の吸入用流路及び給湯器で加熱された加熱水を浴槽内へ吐出する吐出用流路を区画形成する区画部材と、該区画部材の外面に装着されるフィルターカバーとを備え、前記区画部材には吸入用流路及び吐出用流路の方向を変更する流路方向変更部を区画部材本体と一体に形成するとともに、流路方向が変更された吸入用流路及び吐出用流路における区画部材本体には開閉弁の弁体を支持し、該弁体を弁体カバーで開閉可能に保持し、かつ弁体カバーの裏面と区画部材本体との間には弁体カバーを区画部材本体に連結する連結手段を設け、さらに前記弁体カバーには流路方向変更部の開口端縁に掛止される段差状の掛止突条を設け、その掛止突条には加熱水の下流側ほど流路が狭くなるように傾斜する傾斜部を設けたことを特徴とする。
【０００８】
請求項２に記載の発明は、請求項１に係る発明において、前記連結手段は弁体カバーに設けられた雌ねじ穴と、区画部材本体に貫通された挿通孔と、ビスとにより構成され、ビスを区画部材本体の挿通孔に挿通して弁体カバーの雌ねじ穴に螺合するように構成したことを特徴とする。
【０００９】
請求項３に記載の発明は、請求項１に係る発明において、前記連結手段は弁体カバーに設けられた連結用凸部と、区画部材本体に設けられた連結用凹部とにより構成され、弁体カバーの連結用凸部を区画部材本体の連結用凹部に係合させて連結させるように構成したことを特徴とする。
【００１０】
請求項４に記載の発明は、請求項１に係る発明において、前記連結手段は弁体カバーに設けられた一対の連結用弾性片と、区画部材本体に設けられた連結用段部とにより構成され、弁体カバーの連結用弾性片を区画部材本体の連結用段部に係合させて連結させるように構成したことを特徴とする。
【００１１】
請求項５に記載の発明は、請求項１から請求項４のいずれか１項に係る発明において、前記弁体カバーには流路方向変更部の開口端縁に掛止される掛止部を設け、該掛止部を中心にして弁体カバーが回動可能に構成されるとともに、連結手段は弁体カバーの掛止部以外の部分と区画部材本体との間に設けられていることを特徴とする。
【発明の効果】
【００１２】
本発明によれば、次のような効果を発揮することができる。
請求項１に係る発明の浴槽用循環具において、区画部材には吸入用流路及び吐出用流路の方向を変更する流路方向変更部が区画部材本体と一体に形成されている。このため、区画部材本体の成形時に流路方向変更部も同時に成形されるとともに、流路方向変更部において浴槽水や加熱水は漏れることなく、流通することができる。また、開閉弁の弁体を開閉可能に保持する弁体カバーの裏面と区画部材本体との間には、弁体カバーを区画部材本体に連結する連結手段が設けられている。そのため、浴槽用循環具の使用者は弁体カバーの表面側から連結手段を解除することができず、弁体を弁体カバーで保持した状態を維持することができる。
【００１３】
よって、本発明の浴槽用循環具によれば、流路方向変更部の構成を簡単にすることができるとともに、流路方向変更部における漏水を防止することができ、かつ弁体カバーの取り外しを規制することができるという効果を発揮する。
加えて、前記弁体カバーには流路方向変更部の開口端縁に掛止される段差状の掛止突条が設けられ、その掛止突条には加熱水の下流側ほど流路が狭くなるように傾斜する傾斜部が設けられている。このため、吸入用流路から流れ出る加熱水を吐出し難くできるとともに、吐出用流路から流れ出る加熱水の吐出速度を速めることができる。
【図面の簡単な説明】
【００１４】
【図１】実施形態における浴槽用循環具を示す分解斜視図。
【図２】（ａ）は区画部材を示す正面図、（ｂ）は加熱水が区画部材の吐出用流路を流れる状態を示す断面図。
【図３】（ａ）は区画部材を示す正面図、（ｂ）は弁体カバーを示す正面図、（ｃ）は弁体カバーを示す背面図、（ｄ）は弁体カバーを示す側面図、（ｅ）は弁体カバーを取り外した区画部材本体を示す正面図。
【図４】（ａ）は区画部材を示す断面図、（ｂ）は区画部材本体に弁体カバーを装着する状態を示す断面図、（ｃ）は区画部材本体に弁体カバーを装着した後ビスで固定する状態を示す断面図。
【図５】浴槽用循環具を浴槽の側壁に固定した状態を示す断面図。
【図６】本発明の連結手段の別例を示す図であって、（ａ）は弁体カバーを区画部材本体に連結する状態を示す分解斜視図、（ｂ）は同じく弁体カバーを区画部材本体に連結する状態を分解して示す要部断面図。
【図７】本発明の連結手段のさらなる別例を示す図であって、（ａ）は弁体カバーを区画部材本体に連結する状態を分解して示す説明図、（ｂ）は同じく弁体カバーを区画部材本体に連結する状態を分解して示す要部説明図。
【発明を実施するための形態】
【００１５】
以下、本発明を具体化した実施形態を図１〜図５に従って詳細に説明する。
図１に示すように、本実施形態の浴槽用循環具１０を構成する外部筒体１１は浴槽の側壁１２外面に配置され、黄銅等の金属又はポリフェニレンサルファイド（ＰＰＳ）等の合成樹脂で筒状に形成されている。外部筒体１１の外端部には、図示しない給湯器への戻り側配管１３に接続される連結口１４及び給湯器からの往き側配管１５に接続される接続口１６が設けられている。そして、浴槽水を連結口１４、戻り側配管１３を介して給湯器に送り、給湯器で加熱された加熱水（湯）を往き側配管１５から接続口１６へ循環するように構成されている。本実施形態の浴槽用循環具１０は無極性のものであり、外部筒体１１の連結口１４及び接続口１６と給湯器の配管接続部分との間の配管の接続は制限されない。
【００１６】
外部筒体１１の開口端部には拡径筒部１７が設けられ、その拡径筒部１７にはゴム製のシール部材１８が被せられ、側壁１２の外面に密着されて外部筒体１１と浴槽の側壁１２との間の水密が保たれている。外部筒体１１の内周面には雌ねじ１９が刻設されるとともに、外部筒体１１内には連結筒部５１が外部筒体１１の軸線方向に延びるように突出形成されている。連結筒部５１内の流路は接続口１６に通じ、外部筒体１１と連結筒部５１との間の流路が連結口１４に通じている。
【００１７】
締付筒体２０はポリフェニレンサルファイド等の合成樹脂により円筒状に形成され、その内端部（図１の左端部）にはフランジ２１が突設されている。締付筒体２０の外周面には雄ねじ２２が螺刻され、その雄ねじ２２が前記外部筒体１１の雌ねじ１９に螺合され、締付筒体２０と外部筒体１１とが浴槽の側壁１２を挟んで連結固定されるようになっている。図５に示すように、該フランジ２１の外周面には、端部側が雄ねじ２２側より高くなるように段差状に形成された被係合段部２３が環状に形成されている。
【００１８】
図１及び図５に示すように、締付筒体２０の内周面には回り止め突条２４が設けられている。この締付筒体２０は浴槽の側壁１２内面に配置され、ポリエチレン（ＰＥ）製のパッキン２５とゴム製のシールリング２６が介装された状態で側壁１２の貫通孔１２ａに挿通される。そして、締付筒体２０の雄ねじ２２が側壁１２外面に配設された外部筒体１１の雌ねじ１９に螺合固定されるとともに、締付筒体２０と浴槽の側壁１２との間の水密が保たれるようになっている。
【００１９】
区画部材２７はポリアセタール等の合成樹脂により形成され、区画部材本体２８とその中心より締付筒体２０側へ延びる筒部２９とにより構成されている。区画部材本体２８の外周部には締付筒体２０側に延びる係合爪３０が周方向の複数箇所に突設され、前記締付筒体２０の被係合段部２３に係合されて、締付筒体２０から区画部材２７の抜け出しが防止されている。
【００２０】
前記区画部材本体２８及びその筒部２９により、外部筒体１１の接続口１６に接続される吐出用流路３１が形成されるとともに、その周囲には外部筒体１１の連結口１４に接続される吸入用流路３２が区画形成されている。これら吐出用流路３１及び吸入用流路３２は、それらの方向が９０度変更されるとともに、正面ハの字状をなすように斜め下方へ延びている。斯かる吐出用流路３１及び吸入用流路３２の流路を変更する流路方向変更部３３は、区画部材本体２８と一体成形されている。流路方向が変更された吐出用流路３１及び吸入用流路３２の吐出用開口部３４には、開閉弁３５の弁体３６両端の支持片３７を支持する一対の支承凹部３８が設けられるとともに、開閉弁３５を保持する弁体カバー３９が装着されるようになっている。この弁体カバー３９には、網状に形成され浴槽水を吸入する吸入用開口部４０が設けられている。
【００２１】
図３（ａ）〜（ｅ）に示すように、弁体カバー３９の一端縁には流路方向変更部３３の開口端縁３３ａに掛止される掛止部としての掛止突条３９ａが段差状に形成されている。この掛止突条３９ａの下部には、断面が加熱水の下流側ほど狭くなるように傾斜する傾斜部３９ｂが設けられている。この傾斜部は、前記吸入用開口部４０よりも上流側に設けられ、加熱水が吸入用開口部４０から吐出され難くなっている。
【００２２】
図３（ｃ）及び（ｄ）に示すように、弁体カバー３９裏面の両側には一対の締結用突起５５が設けられ、これら締結用突起５５には雌ねじ穴５４が前記区画部材本体２８の挿通孔５３に対応するように螺設されている。そして、図４（ｃ）に示すように、区画部材本体２８の裏面側（図の下側）からビス５２が挿通孔５３を介して弁体カバー３９の雌ねじ穴５４に螺合され、弁体カバー３９が区画部材本体２８に連結固定されるようになっている。連結手段は、前記ビス５２、雌ねじ穴５４、挿通孔５３等により構成されている。
【００２３】
流路方向変更部３３に開閉弁３５を装着する場合には、図４（ａ）に示すように、流路方向変更部３３に対し弁体カバー３９の非装着状態において、開閉弁３５の弁体３６両端部の支持片３７を支承凹部３８に載せて支持する。続いて、図４（ｂ）に示すように、弁体カバー３９の掛止突条３９ａを流路方向変更部３３の開口端縁３３ａに差し込んで掛止する。次いで、図４（ｃ）に示すように、弁体カバー３９を、その掛止突条３９ａを中心に回動させて流路方向変更部３３と面一になるようにした後、ビス５２を区画部材本体２８の挿通孔５３に挿通して雌ねじ穴５４に螺合することにより、弁体カバー３９が流路方向変更部３３に装着されるようになっている。
【００２４】
図２（ａ）に示すように、区画部材２７において、浴槽水は一方（図中の左側）の弁体カバー３９の吸入用開口部４０から図中の矢印に示すように吸入され、吸入用流路３２へ流れ、加熱水は吐出用流路３１から開閉弁３５を通って浴槽内へ吐出されるようになっている。図２（ｂ）に示すように、開閉弁３５は加熱水が図中の矢印に示すように弁体３６に当たり、弁体３６が同図の二点鎖線に示す位置から支持片３７を中心にして反時計方向へ回動することにより開弁される。吐出用流路３１から流れ出る加熱水は、傾斜部３９ｂを通過する際に流路が絞られ、吐出速度が速められる。
【００２５】
図５に示すように、区画部材本体２８の締付筒体２０側には係合突条４１が周方向に複数設けられ、前記締付筒体２０の回り止め突条２４に係合して区画部材２７の周方向への回転が規制されている。図１に示すように、区画部材２７の外周部には、区画部材本体２８に片持ち支持されて周方向に延び、径方向に弾性変形する弾性変形部４３が突設されている。該弾性変形部４３の外周面にはフィルターカバー４４の係合突起４５を案内、保持する案内保持部４６が設けられている。
【００２６】
フィルターカバー４４はステンレス鋼により有底円筒状に形成され、前面に多数の流通孔４７を有している。そして、フィルターカバー４４の係合突起４５を区画部材２７の案内保持部４６に嵌め込んだ後フィルターカバー４４を周方向に回動させることにより、フィルターカバー４４の周方向及び軸線方向への動きが規制され、区画部材本体２８からフィルターカバー４４の抜け出しが規制されている。フィルターカバー４４の周壁の２箇所には吐出孔４８が開口され、前記区画部材２７の吐出用開口部３４に連通されている。以上のように浴槽用循環具１０は、前述の外部筒体１１、締付筒体２０、区画部材２７及びフィルターカバー４４等により構成されている。
【００２７】
上記のように構成された浴槽用循環具１０を浴槽の側壁１２に取付固定する場合には、浴槽の側壁１２に設けられた貫通孔１２ａに内側から締付筒体２０をパッキン２５及びシールリング２６が嵌挿された状態で挿通し、その雄ねじ２２を側壁１２外面に配設された外部筒体１１の雌ねじ１９に螺合して締付け固定する。次いで、区画部材２７の筒部２９を締付筒体２０内に挿入して区画部材２７の係合爪３０を締付筒体２０の被係合段部２３に係合させる。このようにして、区画部材２７の吸入用流路３２が外部筒体１１の連結口１４に接続されると同時に、吐出用流路３１が外部筒体１１の接続口１６に連通される。続いて、フィルターカバー４４を区画部材２７に装着することにより、浴槽用循環具１０が浴槽の側壁１２に取付固定される。
【００２８】
その状態で浴槽水を強制循環させると、浴槽水はフィルターカバー４４前面の流通孔４７から吸い込まれ、区画部材２７の吸入用開口部４０から吸入用流路３２を通って外部筒体１１の連結口１４に流れ、さらに戻り側配管１３を経て給湯器に到る。給湯器で加熱された加熱水は往き側配管１５から外部筒体１１の接続口１６を介して区画部材２７の吐出用流路３１、吐出用開口部３４からフィルターカバー４４の吐出孔４８を経て浴槽内へ吐出される。
【００２９】
次に、本実施形態の浴槽用循環具１０について作用を説明する。
さて、図１に示すように、区画部材２７には吸入用流路３２及び吐出用流路３１の方向を９０度変更する流路方向変更部３３がポリアセタール等の合成樹脂で区画部材本体２８と一体形成されている。このため、区画部材本体２８の成形時に流路方向変更部３３が同時に成形されるとともに、吸入用流路３２及び吐出用流路３１を流れる水は流路方向変更部３３において漏れることなく、その方向が９０度変更される。
【００３０】
また、流路方向が変更された吸入用流路３２及び吐出用流路３１における区画部材本体２８には一対の支承凹部３８が設けられ、開閉弁３５の弁体３６の両支持片３７が支持されるとともに、該弁体３６が弁体カバー３９で開閉可能に保持されている。そのため、吐出用流路３１から吐出される加熱水により弁体カバー３９で保持された弁体３６が開弁され、浴槽内の底部へ向けて吐出される。
【００３１】
さらに、弁体カバー３９裏面の締結用突起５５には連結手段としての雌ねじ穴５４が設けられるとともに、区画部材本体２８には連結手段としての挿通孔５３が設けられている。このため、連結手段を構成するビス５２を区画部材本体２８の挿通孔５３に挿通して弁体カバー３９の雌ねじ穴５４に螺挿することにより、弁体カバー３９をその裏面側で区画部材本体２８に安定した状態で連結することができる。
【００３２】
以上の実施形態によって発揮される効果について、以下にまとめて記載する。
（１）この実施形態における浴槽用循環具１０において、区画部材２７には流路方向変更部３３が区画部材本体２８と一体に形成されていることから、区画部材本体２８の成形と同時に流路方向変更部３３を得ることができるとともに、流路方向変更部３３を流れる浴槽水や加熱水は漏れることがない。さらに、弁体カバー３９の裏面と区画部材本体２８との間には弁体カバー３９を区画部材本体２８に連結する連結手段が設けられている。このため、浴槽用循環具１０の使用者が弁体カバー３９の表面側から連結手段を解除することはできず、弁体３６を弁体カバー３９で保持した状態をそのまま維持することができる。
【００３３】
よって、本実施形態の浴槽用循環具１０によれば、流路方向変更部３３の構成を簡単にすることができるとともに、流路方向変更部３３における漏水を防止することができ、かつ弁体カバー３９の取り外しを規制することができるという効果を発揮する。
（２）前記連結手段は弁体カバー３９の締結用突起５５に設けられた雌ねじ穴５４と、区画部材本体２８に貫通された挿通孔５３と、ビス５２とにより構成され、ビス５２を区画部材本体２８の挿通孔５３に挿通して弁体カバー３９の雌ねじ穴５４に螺合するように構成されている。このため、弁体カバー３９を区画部材本体２８に対して強固に固定することができる。
（３）前記弁体カバー３９には流路方向変更部３３の開口端縁３３ａに掛止される掛止部としての掛止突条３９ａを設け、該掛止突条３９ａを中心にして回動可能に構成するとともに、連結手段は弁体カバー３９の掛止突条３９ａ以外の部分と区画部材本体２８との間に設けられている。このため、弁体カバー３９の回動操作を容易に行うことができるとともに、連結手段で弁体カバー３９を区画部材本体２８に固定することができる。
【００３４】
なお、本実施形態は、次のように変更して具体化することも可能である。
・  図６（ａ）、（ｂ）に示すように、連結手段を、弁体カバー３９の締結用突起５５に設けられた連結用凸部５６と、区画部材本体２８に設けられた連結用凹部５７とにより構成することができる。この場合には、弁体カバー３９を回動させて連結用凸部５６を区画部材本体２８の連結用凹部５７に係合させ、弁体カバー３９を区画部材本体２８に連結させることができる。そのため、弁体カバー３９の回動操作により連結用凸部５６を連結用凹部５７に係合させるという簡単な操作で、弁体カバー３９を区画部材本体２８に固定することができる。なお、この場合には、前記実施形態の雌ねじ穴５４、挿通孔５３及びビス５２を省略することも可能である。加えて、連結用凸部５６と連結用凹部５７との間に凹凸等による抜け止め手段を設けることもできる。
【００３５】
・  図７（ａ）、（ｂ）に示すように、連結手段を、弁体カバー３９の締結用突起５５の先端に設けられた係合突部６１を有する一対の連結用弾性片５８と、区画部材本体２８に設けられた連結用段部５９とにより構成することもできる。このように構成した場合には、弁体カバー３９を回動させ、一対の連結用弾性片５８を図７（ａ）の二点鎖線に示すように重ね合わせるように弾性変形させて区画部材本体２８の貫通孔６０に挿通し、係合突部６１を連結用段部５９に係合させ、弁体カバー３９を区画部材本体２８に連結させることができる。なお、弁体カバー３９と区画部材本体２８の連結を解除する場合には、一対の連結用弾性片５８を重ね合わせるようにして係合突部６１と連結用段部５９との係合を解除して弁体カバー３９を引き抜くことにより行うことができる。
【００３６】
従って、弁体カバー３９の連結用弾性片５８を連結用段部５９に係合させるという簡易な操作で、弁体カバー３９を区画部材本体２８に連結させることができる。
・  前記連結手段として、弁体カバー３９の両側部に突条を形成し、区画部材本体２８に弁体カバー３９の突条がスライドするレールを形成するとともに、弁体カバー３９と区画部材本体２８との間にストッパを設けるように構成することもできる。
【符号の説明】
【００３７】
１０…浴槽用循環具、１１…外部筒体、１２…側壁、２０…締付筒体、２７…区画部材、２８…区画部材本体、３１…吐出用流路、３２…吸入用流路、３３…流路方向変更部、３３ａ…開口端縁、３５…開閉弁、３６…弁体、３９…弁体カバー、３９ａ…掛止部としての掛止突条、４４…フィルターカバー、５２…連結手段としてのビス、５３…連結手段としての挿通孔、５４…連結手段としての雌ねじ穴、５６…連結手段としての連結用凸部、５７…連結手段としての連結用凹部、５８…連結手段としての連結用弾性片、５９…連結用段部。
【図１】
0005693991.tif 000002
【図２】
0005693991.tif 000003
【図３】
0005693991.tif 000004
【図４】
0005693991.tif 000005
【図５】
0005693991.tif 000006
【図６】
0005693991.tif 000007
【図７】
0005693991.tif 000008